(57)【特許請求の範囲】
【請求項１】
互いに隣り合って設けられる少なくとも一対の窓部と、これらの窓部同士を連結する連結部材とを備えた建具であって、
前記一対の窓部を構成する第１窓部および第２窓部は、それぞれ前記連結部材に固定される少なくとも１つの第１枠材と、この第１枠材とは別の第２枠材とを有して構成され、
前記第１枠材における前記連結部材側の端部よりも見付け方向内側の離れた位置には、見込み方向屋内側に突出する中間突片が形成され、
前記第１窓部および前記第２窓部のうち少なくとも一方における前記第２枠材のうち前記第１枠材に接合する枠材の見付け方向外側端部には、見込み方向屋内側に突出する外端突片が形成され、
前記連結部材の屋内側における長手方向端部には、当該連結部材の端部と前記外端突片との間に形成される隙間を覆う端部カバー部材が設けられている建具。
【請求項２】
前記連結部材は、屋外側に設けられる第１連結部と、この第１連結部よりも屋内側に設けられる第２連結部とを有して構成され、前記第２連結部と前記第１枠材の前記中間突片とが連結される請求項１に記載の建具。
【請求項３】
前記端部カバー部材は、前記連結部材の長手方向に沿ってスライド可能に取り付けられている請求項１または請求項２に記載の建具。
【請求項４】
前記一対の窓部が上下に隣り合って設けられ、前記連結部材が無目であるか、または、前記一対の窓部が左右に隣り合って設けられ、前記連結部材が方立である請求項１から請求項３のいずれかに記載の建具。
【請求項５】
前記第１枠材および前記第２枠材を含む枠材は、その端部に互いの長手方向と傾斜して切断された接合端縁を有して形成され、これらの接合端縁同士を突き合わせて接合されている請求項１から請求項４のいずれかに記載の建具。
【発明の詳細な説明】
【技術分野】
【０００１】
本発明は、建具に関し、詳しくは、連結部材を介して上下や左右に隣り合って設けられる複数の窓部を備えた段窓や連窓等の建具に関する。
【背景技術】
【０００２】
従来、複数の窓が連設された段窓や連窓等の建具では、無目や方立により隣接する窓枠間を連結する構成が知られている（例えば、特許文献１〜３参照）。
特許文献１に記載された出窓は、引き違い障子を装着したサッシの両側に方立を介して嵌め殺し障子が取り付けられた連窓であり、特許文献２に記載された窓は、上部窓の下枠と下部窓の上枠とが無目により連結された段窓である。また、特許文献３に記載された窓は、２つの単窓の縦枠が連結材により連結された連窓である。
【先行技術文献】
【特許文献】
【０００３】
【特許文献１】特開２００１−２２０９５４号公報
【特許文献２】特公平５−１３２３６号公報
【特許文献３】特許３３１５７７３号公報
【発明の概要】
【発明が解決しようとする課題】
【０００４】
ところで、窓枠には、窓の種類に応じて、屋内側の額縁材の内装材に固定するための取付片（アングル）が設けられたものと、アングルが設けられていないものとがある。特許文献１、２の窓では、連結される各枠材の双方にアングルが設けられ、特許文献３の窓では、アングルが設けられておらず、各々の窓において、枠材の形状に応じた方立てや無目が使用されている。
しかしながら、段窓や連窓において、アングルが設けられた窓枠同士を連設させたり、アングルが設けられていない窓枠同士を連設させた段窓や連窓の需要もある。このように、枠材の形状が異なる窓枠を連設する場合、隣接する窓枠のアングルの有無に応じた複数の形状の無目や方立を用意しなければならず、部品点数の増加を招くとともに、建込み作業が煩雑になるという問題があった。また、同じシリーズの段窓や連窓であっても、隣接する窓枠の種類に応じて異なる形状の無目や方立を使用するため、外観がそれぞれ異なってしまい、窓枠の連結部の意匠性が低下してしまうという問題もあった。
【０００５】
本発明の目的は、部品点数を抑えて建込み作業を効率化できるとともに、意匠性を向上させることができる建具を提供することにある。
【課題を解決するための手段】
【０００６】
本発明の建具は、互いに隣り合って設けられる少なくとも一対の窓部と、これらの窓部同士を連結する連結部材とを備えた建具であって、前記一対の窓部を構成する第１窓部および第２窓部は、それぞれ前記連結部材に固定される少なくとも１つの第１枠材と、この第１枠材とは別の第２枠材とを有して構成され、前記第１枠材における前記連結部材側の端部よりも見付け方向内側の離れた位置には、見込み方向屋内側に突出する中間突片が形成され、前記第１窓部および前記第２窓部のうち少なくとも一方における前記第２枠材のうち前記第１枠材に接合する枠材の見付け方向外側端部には、見込み方向屋内側に突出する外端突片が形成され、前記連結部材の屋内側における長手方向端部には、当該連結部材の端部と前記外端突片との間に形成される隙間を覆う端部カバー部材が設けられていることを特徴とする。
【０００７】
ここで、窓部としては、それぞれ各種の開閉形式に支持された可動面材（可動障子）を有したものであってもよく、また開閉不能に支持された固定面材（固定障子や固定パネル）を有したものであってもよい。そして、可動面材の開閉形式としては、引き違い形式や外開き形式、内開き形式、縦辷り出し形式、横辷り出し形式、突き出し形式、内倒し形式など、任意のものが適用可能である。また、一対の窓部の両方が開閉可能なものであってもよく、いずれか一方が開閉可能で他方が開閉不能なものであってもよく、両方が開閉不能なものであってもよい。
【０００８】
以上の本発明によれば、一対の窓部を構成する第１窓部および第２窓部は、第１枠材に中間突片を設けたことで、第１窓部および第２窓部のうち少なくともいずれか一方の窓部には、第２枠材に外端突片が設けられていたとしても、隣接する第１窓部および第２窓部のそれぞれの第１枠材の形状を同一にすることができるため、中間突片が形成された第１枠材の形状に応じた連結部材を用いて隣接する窓部を連結させることができる。すなわち、連結部材を介して隣接する少なくとも一対の窓部の全ての枠材に中間突片が形成された建具に用いられる連結部材と同一形状の連結部材を本発明の建具にも利用することができるため、異なる形状の複数の連結部材を用意する必要がなく、部品点数を抑えることができ、建込み作業の効率化を図ることができる。また、同じシリーズの窓の場合、窓の種類が異なっていたとしても同一形状の連結部材を使用することができるため、窓枠の連結部分の外観を共通化して意匠性を向上させることができる。さらに、各枠材端部の接合部分において、中間突片と外端突片の形成位置が異なる場合でも、端部カバー部材で覆うことで、中間突片と外端突片との間に生じるずれや隙間を隠すことができる。
【０００９】
この際、本発明の建具では、前記連結部材は、屋外側に設けられる第１連結部と、この第１連結部よりも屋内側に設けられる第２連結部とを有して構成され、前記第２連結部と前記第１枠材の前記中間突片とが連結されることが好ましい。
このような構成によれば、中間突片と第２連結部との連結構造を共通化することができ、部品の共通化を図るとともに、建具の内観意匠性を向上させることができる。さらに、中間突片と第２連結部を連結することで、突片同士の連結強度を高めることができる。
【００１０】
この際、本発明の建具では、前記端部カバー部材は、前記連結部材の長手方向に沿ってスライド可能に取り付けられていることが好ましい。
このような構成によれば、端部カバー部材をスライドさせることで、内装材の厚みに応じて端部カバー部材を位置決めすることができる。現場では、内装材の厚みに合わせて調整カバーをスライドさせるだけでよいため、内装材に切欠を形成するなどの煩雑な作業を省略でき、優れた作業効率で建込み作業を実施することができる。
【００１１】
この際、本発明の建具では、前記一対の窓部が上下に隣り合って設けられ、前記連結部材が無目であるか、または、前記一対の窓部が左右に隣り合って設けられ、前記連結部材が方立であることが好ましい。
このような構成の建具において、前述と同様に、部品点数を抑えることができ、建込み作業の効率化を図ることができる。また、窓枠の連結部分の外観を共通化して意匠性を向上させることができる。なお、本発明の建具としては、一対の窓部が上下左右に隣接するものに限らず、窓部同士が斜め方向などの任意の方向に隣接したものであってもよい。
【００１２】
この際、本発明の建具では、前記第１枠材および前記第２枠材を含む枠材は、その端部に互いの長手方向と傾斜して切断された接合端縁を有して形成され、これらの接合端縁同士を突き合わせて接合されていることが好ましい。
このような構成によれば、第１枠材の接合端縁と第２枠材の接合端縁とを接合した接合部において、中間突片と外端突片との間にずれや隙間が生じるが、端部カバー部材で覆うことにより、これらのずれや隙間を隠して意匠性を向上させることができる。
【図面の簡単な説明】
【００１３】
【図１】本発明の実施形態に係る建具としての段窓を示す正面図である。
【図２】前記段窓を示す縦断面図である。
【図３】前記段窓の一部を示す横断面図である。
【図４】前記段窓の一部を示す横断面図である。
【図５】前記段窓が額縁に取り付けられる前の状態を示す斜視図である。
【図６】前記段窓に取り付けられる調整カバーを示す斜視図である。
【図７】前記段窓が額縁に取り付けられた状態を示す斜視図である。
【発明を実施するための形態】
【００１４】
以下、本発明の一実施形態に係る建具としての段窓１を図面に基づいて説明する。
図１〜図４において、段窓１は、建物の外壁開口部に設けられ、上下に隣り合って設けられる一対の窓部を有している。一対の窓部は、第１窓部としての上側窓部２および第２窓部としての下側窓部３とで構成され、段窓１は、上側窓部２と下側窓部３とを連結して左右に延びる連結部材としての無目４を備えて構成されている。
【００１５】
上側窓部２は、それぞれ樹脂製の上枠５１、下枠５２および左右の縦枠５３を四周枠組みした窓枠５と、この窓枠５の内部に左右開閉自在に支持された可動障子６、この可動障子６の屋外側にて開閉不能に支持された固定障子７とを備えた片引き窓である。この上側窓部２において、下枠５２の屋外側に固定障子７が支持され、下枠５２の屋内側に設けられたアルミ形材製のレール部材５４に可動障子６が案内されることで左右に開閉移動できるようになっている。可動障子６および固定障子７は、上框６１，７１、下框６２，７２および左右の縦框６３，７３を四周框組みした内部に、ガラスパネル６４，７４を嵌め込んで構成されている。
【００１６】
上枠５１は、図２に示すように、見込み方向に延びる上枠見込み面部５１Ａと、この上枠見込み面部５１Ａの屋内側端部から見付け方向内側に延出する上枠屋内面部５１Ｂと、この上枠屋内面部５１Ｂの見付け方向外側端部から見込み方向屋内側に突出する外端突片５１Ｃと、上枠見込み面部５１Ａの屋内側端部よりも見込み方向屋外側の位置から見付け方向外側に突出する上枠固定片５１Ｄとを有して形成されている。すなわち、上枠５１によって、窓枠５における第２枠材が構成されている。下枠５２は、見込み方向に延びる下枠見込み面部５２Ａと、この下枠見込み面部５２Ａの屋内側端部から見付け方向内側に延出する下枠屋内面部５２Ｂと、この下枠屋内面部５２Ｂの無目４側（連結部４１側）の端部から見付け方向内側（可動障子６側）の離れた位置から見込み方向屋内側に突出する中間突片としてのアングル片５２Ｃと、を有して形成されている。すなわち、下枠５２は、アングル片５２Ｃによりアングルが形成されたアングル付きの枠であり、下枠５２によって、窓枠５における第１枠材が構成されている。左右の縦枠５３は、図３に示すように、見込み方向に延びる縦枠見込み面部５３Ａと、この縦枠見込み面部５３Ａの屋内側端部から見付け方向内側に延出する縦枠屋内面部５３Ｂと、この縦枠屋内面部５３Ｂの見付け方向外側端部から見込み方向屋内側に突出する外端突片５３Ｃと、縦枠見込み面部５３Ａの屋内側端部よりも見込み方向屋外側の位置から見付け方向外側に突出する縦枠固定片５３Ｄとを有して形成されている。すなわち、左右の縦枠５３によって、窓枠５における第２枠材が構成されている。
【００１７】
以上の窓枠５は、各枠５１，５２，５３の長手方向端部が４５度の傾斜で切断され、これらの端面が互いに突き合わせられて接合され、上枠見込み面部５１Ａと縦枠見込み面部５３Ａが外壁開口部に当接するように配置され、外端突片５１Ｃ，５３Ｃが外壁開口部に当接してねじ止め固定されている。これらの外端突片５１Ｃ，５３Ｃの見付け方向内側に、内装材９が当接して設けられている。
【００１８】
下側窓部３は、図１に示すように、それぞれ樹脂製の上枠８１、下枠８２および左右の縦枠８３を四周枠組みした窓枠８と、この窓枠８内部に支持される面材としての開閉不能な固定ガラスパネル８４とを備えた嵌め殺し窓（ＦＩＸ窓）である。固定ガラスパネル８４は、上側窓部２の可動障子６と同一面内に配置される。
【００１９】
上枠８１は、図２に示すように、見込み方向に延びる上枠見込み面部８１Ａと、この上枠見込み面部８１Ａの屋内側端部から見付け方向外側に延出する上枠屋内面部８１Ｂと、この上枠屋内面部８１Ｂの無目４側（連結部４１側）の端部から見付け方向内側（固定ガラスパネル８４側）の離れた位置から見込み方向屋内側に突出する中間突片としてのアングル片８１Ｃとを有して形成されている。すなわち、上枠８１は、アングル片８１Ｃによりアングルが形成されたアングル付きの枠であり、上枠８１によって、窓枠８における第１枠材が構成されている。下枠８２は、見込み方向に延びる下枠見込み面部８２Ａと、この下枠見込み面部８２Ａの屋内側端部から見付け方向内側に延出する下枠屋内面部８２Ｂと、この下枠屋内面部８２Ｂの見付け方向外側端部から見込み方向屋内側に突出する外端突片８２Ｃと、下枠見込み面部８２Ａの屋内側端部よりも見込み方向屋外側の位置から見付け方向外側に突出する下枠固定片８２Ｄとを有して形成されている。すなわち、下枠８２によって、窓枠８における第２枠材が構成されている。左右の縦枠８３は、図４に示すように、見込み方向に延びる縦枠見込み面部８３Ａと、この縦枠見込み面部８３Ａの屋内側端部から見付け方向内側に延出する縦枠屋内面部８３Ｂと、この縦枠屋内面部８３Ｂの見付け方向外側端部から見込み方向屋内側に突出する外端突片８３Ｃと、縦枠見込み面部８３Ａの屋内側端部よりも見込み方向屋外側の位置から見付け方向外側に突出する縦枠固定片８３Ｄとを有して形成されている。すなわち、縦枠８３によって、窓枠８における第２枠材が構成されている。
【００２０】
以上の窓枠８は、各枠８１，８２，８３の長手方向端部が４５度の傾斜で切断され、これらの端面が互いに突き合わせられて接合され、下枠見込み面部８２Ａと縦枠見込み面部８３Ａが外壁開口部に当接するように配置され、外端突片８２Ｃ，８３Ｃが外壁開口部に当接してねじ止め固定されている。これらの外端突片８２Ｃ，８３Ｃの見付け方向内側に、内装材９が当接して設けられている。
【００２１】
無目４は、図２に示すように、上側窓部２と下側窓部３との間に設けられ、上側窓部２の下枠５２と下側窓部３の上枠８１とを連結する第１連結部としての連結部４１と、この連結部４１の屋内側端部に設けられる第２連結部としての連結カバー部材４２と、この連結カバー部材４２の長手方向端部に設けられた端部カバー部材４３とを備えて構成されている。
【００２２】
連結部４１は、アルミ形材製の中空状部材であり、上側窓部２側で見込み方向に延びて下枠見込み面部５２Ａにねじで取付可能な上方取付片４１Ａと、この上方取付片４１Ａに連結するとともに下側窓部３側で見込み方向に延びて上枠見込み面部８１Ａに取付可能な下方取付片４１Ｂとを有して形成されている。上方取付片４１Ａおよび下方取付片４１Ｂには、各屋内面部５２Ｂ，８１Ｂに沿って折曲加工された折曲部４１Ｃがそれぞれ形成され、この折曲部４１Ｃは、各屋内面部５２Ｂ，８１Ｂにねじで取り付けられるようになっている。折曲部４１Ｃの端部は、各アングル片５２Ｃ，８１Ｃより見付け方向外側（連結部４１側）にそれぞれ位置するように形成される。
【００２３】
連結カバー部材４２は、連結部４１の屋内側端部に設けられてアングル片５２Ｃ，８１Ｃに取り付けられる樹脂形材製の中空状部材であって、アングル片５２Ｃ，８１Ｃの間で無目４の屋内側を形成する表面部４２Ａと、この表面部４２Ａの屋外側でアングル片５２Ｃ，８１Ｃに取付可能なアングル取付片４２Ｂをそれぞれ有して構成されている。アングル取付片４２Ｂは、アングル片５２Ｃ，８１Ｃの見付け方向外側（連結部４１側）に当接するとともに、ねじが挿通可能な孔部４２Ｃを有して構成されている。また、図５に示すように、連結カバー部材４２の長さ方向両端部には、端部から見付け方向中央側に所定の長さを有して一対の係合溝４２Ｄがそれぞれ形成されている。
【００２４】
連結カバー部材４２は、アングル片５２Ｃ，８１Ｃと略同一の長さ寸法を有している。ここで、上側窓部２の下枠５２と縦枠５３との長手端部は長手方向と４５度の傾斜角度を有して接合されているため、アングル片５２Ｃの長さ方向端部と外端突片５３Ｃとの間に隙間が生じた状態となり、アングル片５２Ｃと同一の長さ寸法を有する連結カバー部材４２の長さ方向端部と外端突片５３Ｃとの間にも隙間が生じた状態となっている（図１参照）。この隙間を覆う部材として端部カバー部材４３が用いられる。
【００２５】
端部カバー部材４３は、樹脂製の一体成形部材であり、連結カバー部材４２の長さ方向両端部にそれぞれ設けられ、図６（Ａ）、（Ｂ）に示すように、無目４の屋内側を形成する表面部４３Ａと、無目４の長さ方向端部を形成する端面部４３Ｂと、表面部４３Ａから延びる一対の対向面部４３Ｃとを有して構成されている。表面部４３Ａの屋外側には、連結カバー部材４２の一対の係合溝４２Ｄに係合可能な一対の係合片部４３Ｄが上下に形成されている。また、端面部４３Ｂには、表面部４３Ａ側の端縁および対向面部４３Ｃ側の端縁に沿って凸部４３Ｅが形成され、この凸部４３Ｅに三方を囲まれて貼付面部４３Ｆが形成されている。また、貼付面部４３Ｆには、接着テープ４３Ｇが貼り付けられている。このような端部カバー部材４３は、一対の係合片部４３Ｄが連結カバー部材４２の係合溝４２Ｄに係合され、無目４の長さ方向にスライド可能に取り付けられる構成となっている。すなわち、段窓１が住宅の外壁開口部に取り付けられ、図７に示すように、無目４と外端突片５３Ｃおよび外端突片８３Ｃとの間に内装材９が配置されると、内装材９の厚さに応じて端部カバー部材４３をスライド移動させ、端面部４３Ｂを内装材９に当接させるとともに、接着テープ４３Ｇを内装材９に貼り付けることによって端部カバー部材４３が固定される。
【００２６】
以上のような段窓１を外壁開口部に取り付ける手順を説明する。まず、上側窓部２と下側窓部３の各枠材をそれぞれ四周枠組みし、無目４の下方取付片４１Ｂと折曲部４１Ｃとをねじで下側窓部３の上枠８１に取り付けるとともに、上方取付片４１Ａと折曲部４１Ｃとをねじで上側窓部２の下枠５２に取り付ける。次に、連結カバー部材４２の表面部４２Ａの幅方向端部を、アングル片５２Ｃ，８１Ｃに合わせて配置し、アングル片５２Ｃ，８１Ｃと連結カバー部材４２の孔部４２Ｃとをそれぞれねじ止めすることで、連結部４１の屋内側端部を覆う状態に連結カバー部材４２を取り付け、連結カバー部材４２の長さ方向両端部に端部カバー部材４３をそれぞれ係合させて見付け方向中央側に位置させた状態とする。ここまでの状態まで組み立てた段窓１を現場に持ち込み、外端突片５１Ｃ，５３Ｃ、８２Ｃ，８３Ｃおよび各固定片５１Ｄ，５３Ｄ，８２Ｄ，８３Ｄを住宅の外壁開口部に取り付ける。そして、外端突片５１Ｃ，５３Ｃ、８２Ｃ，８３Ｃの見付け方向内側に内装材９および窓台１０を固定し、端部カバー部材４３を見付け方向外側にスライドさせることで内装材９に当接させ、接着テープ４３Ｇを内装材９に貼り付けることで、段窓１の外壁開口部への建込みが完了する。
【００２７】
以上の実施形態によれば、外壁開口部に取り付けられた上側窓部２の上枠５１および縦枠５３、ならびに下側窓部３の下枠８２および縦枠８３には、各屋内面部５１Ｂ，５３Ｂ，８２Ｂ，８３Ｂの見付け方向外側端部から見込み方向屋内側に突出する外端突片５１Ｃ，５３Ｃ，８２Ｃ，８３Ｃを形成し、無目４に取り付けられる上側窓部２の下枠５２および下側窓部３の上枠８１には、各屋内面部５２Ｂ，８１Ｂの無目４側の端部から見付け方向内側の離れた位置から見込み方向屋内側に突出するアングル片５２Ｃ，８１Ｃを形成して構成したことで、隣接する窓枠の全ての枠材にアングル片が形成された段窓に使用される無目と同一形状の無目を適用することができるため、部品点数を抑えることができ、建込み作業の効率化を図ることができる。すなわち、隣接する上方窓部および下方窓部の各窓枠が異なる種類であったとしても、上述したように、無目４に取り付けられる各枠材にアングル片が形成されるため、形状の異なる複数の無目を用意する必要がなく、部品点数を抑えて建込み作業を効率化することができる。また、同じシリーズの窓の場合、組み合わせる窓の種類が異なっていたとしても無目４は同一形状となるため、外観を共通化でき、意匠性を向上させることができる。
【００２８】
また、連結カバー部材４２の長さ方向両端部に端部カバー部材４３をそれぞれ設けたことで、下枠５２のアングル片５２Ｃと縦枠５３の外端突片５３Ｃの形成される位置が異なるために下枠５２と縦枠５３との接合部分に生じていたずれや隙間を隠すことができる。また、下側窓部３における上枠８１についても同様に、上枠８１のアングル片８１Ｃと縦枠８３の外端突片８３Ｃの形成される位置が異なるために上枠８１と縦枠８３との接合部分に生じていたずれや隙間を覆うことができる。このように、隙間を屋内側から見えない状態にすることができるため、意匠性に優れている。また、端部カバー部材４３が無目４の長手方向にスライド可能に取り付けられることで、外壁開口部の内装材９や窓台１０の厚さ寸法に応じてその位置を調整することができるため、現場での調整が容易となり、建込み作業性に優れている。
【００２９】
なお、本発明は、前記実施形態に限定されるものではなく、本発明の目的を達成できる他の構成等を含み、以下に示すような変形等も本発明に含まれる。
例えば、前記実施形態においては、上下に一対の窓が連設された段窓１を例示して説明したが、本発明の建具は、複数の窓が方立を介して左右に連設された連窓であってもよい。さらに、上下左右に限らず、一対の窓が斜め方向などの任意の方向に連接された窓であってもよい。
また、窓部は矩形状のものに限らず、四角形以外の多角形状等でもよく、この場合にも、窓部同士が上下左右や斜め方向に連設されたものであってもよい。
また、前記実施形態では、上側窓部２に片引き窓、下側窓部３にＦＩＸ窓を用いた段窓１を例示して説明したが、上側窓部２および下側窓部３に用いる窓は、引き違い形式や外開き形式、内開き形式、縦辷り出し形式、横辷り出し形式、突き出し形式、内倒し形式など、任意のものが適用可能である。また、一対の窓部の両方が開閉可能なものであってもよく、いずれか一方が開閉可能で他方が開閉不能なものであってもよく、両方が開閉不能なものであってもよい。
【００３０】
また、前記実施形態では、２枚の窓部を１本の連結部材で連結する段窓１を例示したが、３枚以上の各窓部の間をそれぞれ連結する２本以上の連結部材を有する段窓や連窓であってもよい。
また、前記実施形態では、接着テープ４３Ｇを用いて端部カバー部材４３を内装材９に固定する構成としたが、これに限られず、例えば、端部カバー部材４３に、端面部４３Ｂと同一面を有してねじ孔が形成された取付片部を形成し、見付け方向内側からこのねじ孔および内装材９にねじを挿通させることで固定する構成としてもよい。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３２】
１…段窓（建具）、２…上側窓部（第１窓部）、３…下側窓部（第２窓部）、４…無目（連結部材）、５…窓枠、６…可動障子、７…固定障子、８…窓枠、９…内装材、４１…連結部（第１連結部）、４２…連結カバー部材（第２連結部）、４３…端部カバー部材、５１…上枠、５１Ｃ…外端突片、５２…下枠、５２Ｃ…アングル片（中間突片）、５３…縦枠、５３Ｃ…外端突片、８１…上枠、８１Ｃ…アングル片（中間突片）、８２…下枠、８２Ｃ…外端突片、８３…縦枠、８３Ｃ…外端突片。
【図１】
0005384461.tif 000002
【図２】
0005384461.tif 000003
【図３】
0005384461.tif 000004
【図４】
0005384461.tif 000005
【図５】
0005384461.tif 000006
【図６】
0005384461.tif 000007
【図７】
0005384461.tif 000008